(57)【要約】【課題】            釣竿の収容や取り外しを簡便なものとしつつ、様々なサイズの釣竿収容可能なケース本体を備えた釣竿ケースを提供することである。【解決手段】        本発明の一実施形態による釣竿ケースは、釣竿を収容可能なケース本体を備え、該ケース本体の内側に、釣竿を保持するための少なくとも１つの保持部材が取り付けられ、該保持部材は、該釣竿を下方から支持する底部と、該釣竿を左右方向から支持する左側部及び右側部と、該釣竿の上方からの離脱を防止するカバー部と、を備え、該左側部及び右側部は、該左右方向における位置を変更可能なように着脱自在に前記底部に取り付けられる。【選択図】          図２
2019092412.tif 000002
【特許請求の範囲】
【請求項１】
釣竿を収容可能なケース本体を備えた釣竿ケースであって、
該ケース本体の内側に、釣竿を保持するための少なくとも１つの保持部材が取り付けられ、該保持部材は、該釣竿を下方から支持する底部と、該釣竿を左右方向から支持する左側部及び右側部と、該釣竿の上方からの離脱を防止するカバー部とを備え、
該左側部及び右側部は、該左右方向における位置を変更可能なように着脱自在に前記底部に取り付けられることを特徴とする釣竿ケース。
【請求項２】
前記底部、前記左側部及び前記右側部は、柔軟な部材により形成されている、請求項１に記載の釣竿ケース。
【請求項３】
前記底部、前記左側部及び前記右側部は、発砲プラスチック、合成樹脂又はゴムにより形成されている、請求項１又は２に記載の釣竿ケース。
【請求項４】
前記底部、前記左側部及び前記右側部は、略直方体の形状を備え、前記左側部及び前記右側部は、該底部の上面に前記釣竿を左右方向から支持するように取り付けられる、請求項１から３までのいずれか１項に記載の釣竿ケース。
【請求項５】
前記左側部と前記右側部は、前記底部と着脱自在であるが完全に離れないよう該底部と接続部により繋げられている、請求項１から４までのいずれか１項に記載の釣竿ケース。
【請求項６】
前記左側部と前記右側部は、着脱部材により着脱自在に前記底部に取り付けられる、請求項１から５までのいずれか１項に記載の釣竿ケース。
【請求項７】
前記カバー部は、前記釣竿の前記保持部材の上方からの離脱を防止するため、前記左側部から前記右側部まで延伸するようにして該左側部及び該右側部に取り付けられる、請求項１から６までのいずれか１項に記載の釣竿ケース。
【請求項８】
前記カバー部は、前記左側部又は前記右側部の少なくともいずれかに着脱自在に取り付けられる、請求項７に記載の釣竿ケース。
【請求項９】
前記カバー部は、前記左側部又は前記右側部の少なくともいずれかに着脱部材により着脱自在に取り付けられる、請求項８に記載の釣竿ケース。
【請求項１０】
前記着脱部材は、面ファスナーを含む、請求項６又は９に記載の釣竿ケース。
【発明の詳細な説明】
【技術分野】
【０００１】
本発明は、釣竿が収容可能な釣竿ケース並びに釣竿ケースに取り付けられて使用される竿保持具に関するものである。
【背景技術】
【０００２】
従来より、釣竿を収容することが可能な種々の釣竿ケースが知られている。このような釣竿ケースとして、例えば、ケース本体を備え、その内側に釣竿を収容し、内部での釣竿の移動を防止するため、釣竿を固定する紐を備えたものがある。
【０００３】
このような釣竿ケースでは、釣竿をケース本体に固定することができるものの、釣竿を収容したり、取り出す際に、当該紐を結んだり、その結び目を解いたりすることが必要となり、必ずしも使い勝手がよいとはいえなかった。
【０００４】
釣竿をケース本体により簡便な方法で保持するものとして、特許文献１には、釣竿が収容可能なケース本体を備え、ケース本体の内側に、釣竿を保持するための溝を釣竿が径方向に入り込むように設けた釣竿ケースが開示されている。
【先行技術文献】
【特許文献】
【０００５】
【特許文献１】特開２００１−７８６４１号公報
【発明の概要】
【発明が解決しようとする課題】
【０００６】
しかしながら、特許文献１に開示の釣竿ケースでは、釣竿を従来に比して簡便な方法で保持することができるものの、溝の大きさにより収容可能な釣竿が限られてしまい、様々なサイズの釣竿に対応した釣竿ケースが提供できないという問題があった。
【０００７】
本発明の実施形態は、上記のような問題点に鑑み、釣竿の収容や取り外しを簡便なものとしつつ、様々なサイズの釣竿収容可能なケース本体を備えた釣竿ケースを提供することを目的とする。
【０００８】
本発明の実施形態の他の目的は、本明細書全体を参照することにより明らかとなる。
【課題を解決するための手段】
【０００９】
本発明の一実施形態に係る釣竿ケースは、釣竿を収容可能なケース本体を備え、該ケース本体の内側に、釣竿を保持するための少なくとも１つの保持部材が取り付けられ、該保持部材は、該釣竿を下方から支持する底部と、該釣竿を左右方向から支持する左側部及び右側部と、該釣竿の上方からの離脱を防止するカバー部とを備え、該左側部及び右側部は、該左右方向における位置を変更可能なように着脱自在に前記底部に取り付けられる。
【００１０】
本発明の一実施形態に係る釣竿ケースは、保持部材の底部、左側部及び右側部が、柔軟な部材により形成されている。また、本発明の一実施形態に係る釣竿ケースは、保持部材の底部、左側部及び右側部が、発砲プラスチック、合成樹脂又はゴムにより形成されている。
【００１１】
本発明の一実施形態に係る釣竿ケースは、保持部材の底部、左側部及び右側部は、略直方体の形状を備え、該左側部及び該右側部は、該底部の上面に釣竿を左右方向から支持するように取り付けられる。
【００１２】
本発明の一実施形態に係る釣竿ケースの保持部材の当該左側部と当該右側部は、当該底部と着脱自在であるが完全に離れないよう当該底部と接続部により繋げられている。
【００１３】
本発明の一実施形態に係る釣竿ケースの保持部材の当該左側部と当該右側部は、着脱部材により着脱自在に当該底部に取り付けられる。当該着脱部材は、面ファスナーを含む部材その他により適宜選択される。
【００１４】
本発明の一実施形態に係る釣竿ケースの保持部材のカバー部は、釣竿の当該保持部材の上方からの離脱を防止するため、当該左側部から当該右側部まで延伸するようにして当該左側部及び当該右側部に取り付けられる。
【００１５】
本発明の一実施形態に係る釣竿ケースの保持部材のカバー部は、当該左側部又は当該右側部の少なくともいずれかに着脱自在に取り付けられる。
【００１６】
本発明の一実施形態に係る釣竿ケースの保持部材のカバー部は、当該左側部又は当該右側部の少なくともいずれかに着脱部材により着脱自在に取り付けられる。当該着脱部材は、面ファスナーを含む部材その他により適宜選択される。
【発明の効果】
【００１７】
本発明の様々な実施形態により、保持部材への釣竿の収容や同部材からの取り外しを簡便なものとしつつ、様々なサイズの釣竿を収容可能なケース本体を備えた釣竿ケースを提供することが可能となる。その結果、釣竿の使用時に釣竿を釣竿ケースからの容易な取り出しを可能とするだけでなく、釣竿を保管ないし持ち運ぶ場合に、釣竿をサイズによらず簡易に収容し、かつ確実に保護することが可能となる。
【図面の簡単な説明】
【００１８】
【図１】本発明の一実施形態による釣竿ケース１を模式的に示す図である。
【図２】本発明の一実施形態による保持部材３の各構成部材を模式的に示す図である。
【図３】本発明の一実施形態による釣竿を収容する際の保持部材３状態を模式的に示す図である。
【図４】本発明の一実施形態による保持部材３の各構成部材を模式的に示す図である。
【図５】本発明の一実施形態による釣竿を収容する際の保持部材３の状態を模式的に示す図である。
【図６】本発明の一実施形態による保持部材３の正面図を模式的に示す図である。
【発明を実施するための形態】
【００１９】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない。以下、本発明の実施形態について図面に基づき説明する。
【００２０】
まず、図１を参照して、本発明の一実施形態における釣竿ケース１の概略を説明する。釣竿ケース１は、ケース本体２と、ケース把持部２１と、該ケース本体の開閉を行うファスナー２２と、を有し、当該ケース本体２の内側には、釣竿４を保持するための少なくとも１つの保持部材ないし保持部３（以下、保持部材３とする）が取り付けられている。
【００２１】
図示の例では、ケース本体２内の２つの保持部材３に釣竿４を取り付けられた状態となっている。また、複数の釣竿４を保持可能なように保持部材３のセットをケース本体２内に複数設けてもよい。
【００２２】
図示のケース把持部２１とファスナー２２は一例であって、構造、形状、素材等に特段の限定はなく、適宜必要に応じて変更しても構わない。
【００２３】
次に、図２を参照して、本発明の一実施形態における保持部材３について説明する。本発明の一実施形態における保持部材３は、釣竿４を下方から支持する底部５と、該釣竿４を左方向から支持する左側部６と、該釣竿４を右方向から支持する右側部７と、該釣竿４の上方からの離脱を防止するカバー部８とを備える。ここで、上下方向とは、図２の紙面における上下方向を指し、左右方向とは、同図の紙面における左右方向を指すものとする。
【００２４】
本発明の一実施形態に係る保持部材３の底部５、左側部６及び右側部７は、柔軟な部材により形成され得る。このようにして、ケース本体２の保持部材３に収容された釣竿４を保護することが可能となる。また、本発明の一実施形態に係る保持部材３の底部５、左側部６及び右側部７は、発砲プラスチック、合成樹脂又はゴムにより形成される又は実質的に形成されてもよいが、これらに限定されるものではなく、適宜変更可能である。また、カバー部８も上記同様に構成されてもよい。
【００２５】
本発明の一実施形態に係る保持部材３の底部５、左側部６及び右側部７は、略直方体の形状を備える。図示の状態でのこれらの厚さをそれぞれｔ１、ｔ２、ｔ３とする。保持部材３の底部５、左側部６及び右側部７の形状は、これに限定することを意図するものではなく、適宜変更可能である。本発明の一実施形態では、略直方体の該左側部６及び該右側部７は、釣竿４の保持部材３への取付時に縦の状態にされ、横の状態にされた略直方体の該底部５の上面に釣竿４を左右方向から支持するように取り付けられる。
【００２６】
本発明の一実施形態における保持部材３の左側部６及び右側部７は、左右方向における位置を変更可能なように着脱自在に底部５の左右方向両側に取り付けられる。このようにして、様々なサイズ（外径）の釣竿を収容可能に構成される。
【００２７】
図２に示す例では、保持部材３の左側部６及び右側部７は、着脱部材（ないし着脱部）９Ａ、９Ｂにより、着脱自在に底部５の左右方向両側に取り付けられる。
【００２８】
着脱部材は、例えば、双方の前縁に取着された着脱可能な面ファスナーで構成することができる。また、当該着脱手段は、ボタン、線ファスナー、ハンドルカバー、テープで構成することも可能である。あるいは、着脱手段は、その一方に磁石を配置し、他方に磁石に吸着可能な磁性体と配置するように構成してもよい。当該着脱手段はこれらの限定されるものではなく、従来公知の様々な構造が採用され得る。
【００２９】
図示の例では、着脱部材として、一方に雄型の面ファスナーを配置し、他方に雌型の面ファスナーを配置するようにして、保持部材３の構成部材同士を着脱可能に取り付けることができるように構成される。なお、既述の通り、着脱部材はこれに限られず、適宜変更可能である。
【００３０】
前述の通り、本発明の一実施形態における保持部材３の左側部６及び右側部７は、左右方向における位置を変更可能なように着脱自在に底部５の左右方向両側に取り付けられるが、当該保持部材３において、左右方向における当該左側部６と当該右側部７との間の間隔は、例えば、約１−２０ｍｍの範囲で変更可能であるがこれに限られず、収容される釣竿のサイズに合わせて任意に設定することができる。
【００３１】
本発明の一実施形態に係る保持部材３の当該左側部６と当該右側部７は、当該底部５と着脱自在であるが、完全に離れないよう当該底部５と接続部１０の接続部分１１、１２により繋げられるように構成してもよい。このようにして、保持部材３の各構成部材が完全に分離することを防止でき、これにより、左側部６と右側部７をより簡易に底部５に取り付けることができる。
【００３２】
この場合、当該接続部分１１、１２の左右方向の長さをそれぞれＡ、Ｂとする。例えば、接続部分１１の長さＡが、底部５の厚さｔ１よりも大きく構成すると、左側部６は、左方向から底面５の内側に入り込むようにして底部５の上面に取り付けることができる。これは右側部７についても同様に考えることができる。
【００３３】
左側部６と右側部７の厚さｔ２、ｔ３は、底部５の左右方向の長さＸとの関係や収容することが想定される釣竿のサイズの幅等に合わせて適宜決定することができる。
【００３４】
本発明の一実施形態に係る釣竿ケースの保持部材のカバー部８は、釣竿４の当該保持部材３の上方からの離脱を防止するため、当該左側部６から当該右側部７まで延伸するようにして当該左側部６及び当該右側部７に取り付けられる。
【００３５】
本発明の一実施形態に係る保持部材３のカバー部８は、当該左側部６又は当該右側部７の少なくともいずれかに着脱自在に取り付けられる。
【００３６】
本発明の一実施形態に係る釣竿ケースの保持部材のカバー部は、当該左側部又は当該右側部の少なくともいずれかに着脱部材９Ｃにより着脱自在に取り付けられる。当該着脱部材は、上述の通り、面ファスナーを含む様々な部材により適宜選択することができ、特定の部材に限定されるものではない。
【００３７】
本発明の一実施形態に係る保持部材３は、固定部１３によりケース本体２の内側に固定される。当該固定部１３に上述の着脱部材を設けることで、保持部材３をケース本体２から着脱自在に構成してもよい。当該固定部１３は任意の固定手段を適宜採用することができ、特定の手段に限定されるものではない。
【００３８】
次に、図３は、図２の状態の保持部材３が釣竿４を収容可能な状態とされた様子を示すものである。図示の通り、底部５の上面に左側部６、右側部７が取り付けられている。図示の例では、各構成部材が、接続部１０により接続され、また、当該接続部１１の一部分に固定部１３が配置されている。この状態で釣竿４を収容後、カバー部８で左側部６から右側部７までを覆うように取り付けることで、釣竿４の保持部材からの離脱を防止することができる。
【００３９】
図４を参照して、本発明の一実施形態における保持部材３について説明する。本発明の一実施形態における保持部材３は、釣竿４を下方から支持する底部５と、該釣竿４を左方向から支持する左側部６と、該釣竿４を右方向から支持する右側部７と、該釣竿４の上方からの離脱を防止するカバー部８とを備える。ここで、上下方向とは、図４の紙面における上下方向を指し、左右方向とは、同図の紙面における左右方向を指すものとする。
【００４０】
本発明の一実施形態に係る保持部材３の底部５、左側部６及び右側部７は、柔軟な部材により形成され得る。このようにして、ケース本体２の保持部材３に収容された釣竿４を保護することが可能となる。また、本発明の一実施形態に係る保持部材３の底部５、左側部６及び右側部７は、発砲プラスチック、合成樹脂又はゴムにより形成されてもよいが、これらに限定されるものではなく、適宜変更可能である。また、カバー部８も、底部５、左側部６及び右側部７と同様、上記部材により構成されてもよい。
【００４１】
本発明の一実施形態に係る保持部材３の底部５は、略直方体の形状を備える。一方、保持部材３の左側部６及び右側部７は、厚みの異なる２つの略直方体を組み合わせたような形状（全体として段部を備えた形状）を備える。図示の状態での底部５の厚さをｔ１、左側部６の当該異なる厚さをそれぞれｔ２、ｔ３とする。また、右側部７の当該異なる厚さをそれぞれｔ４、ｔ５とする。
【００４２】
保持部材３の底部５、左側部６及び右側部７の形状は、これに限定することを意図するものではなく、適宜変更可能である。本発明の一実施形態では、左側部６及び該右側部７は、釣竿４の保持部材３への取付時に縦の状態にされ、横の状態にされた略直方体の底部５の上面に釣竿４を左右方向から支持するように取り付けられる。
【００４３】
本発明の一実施形態における保持部材３の左側部６及び右側部７は、左右方向における位置を変更可能なように着脱自在に底部５の左右方向両側に取り付けられる。左側部６及び右側部７のこのような形状から、様々なサイズ（外径）の釣竿を少なくとも２本収容可能に構成される。
【００４４】
図２の例と同様、図４に示す例でも、保持部材３の左側部６及び右側部７は、着脱部材（ないし着脱部）９Ａ、９Ｂにより、着脱自在に底部５の左右方向両側に取り付けられる。着脱部材は、既述の通り、面ファスナーその他、従来公知の様々な構造が採用可能であり、特定の構造に限定することを意図するものではない。
【００４５】
図示の例では、着脱部材として、一方に雄型の面ファスナーを配置し、他方に雌型の面ファスナーを配置するようにして、保持部材３の構成部材同士を着脱可能に取り付けることができるように構成される。なお、上述の通り、着脱部材はこれに限られず、適宜変更可能である。
【００４６】
図２の例と同様、本発明の一実施形態における保持部材３の左側部６及び右側部７は、左右方向における位置を変更可能なように着脱自在に底部５の左右方向両側に取り付けられるが、当該保持部材３において、左右方向における当該左側部６と当該右側部７との間の間隔は、例えば、約１−２０ｍｍの範囲で変更可能であるがこれに限られず、収容される釣竿のサイズに合わせて任意に設定することができる。
【００４７】
図２の例と同様、本発明の一実施形態に係る保持部材３の当該左側部６と当該右側部７は、当該底部５と着脱自在であるが、完全に離れないよう当該底部５と接続部１０の接続部分１１、１２により繋げられるように構成してもよい。このようにして、保持部３の各構成部材が完全に分離することを防止でき、これにより、左側部６と右側部７をより簡易に底部５に取り付けることができる。
【００４８】
この場合、当該接続部分１１、１２の左右方向の長さをそれぞれＡ、Ｂとする。例えば、接続部分１１の長さＡが、底部５の厚さｔ１よりも大きく構成すると、左側部６は、左方向から底面５の内側に入り込むようにして底部５の上面に取り付けることができる。これは右側部７についても同様に考えることができる。
【００４９】
また、左側部６の厚さｔ３と右側部７の厚さｔ４は、底部５の左右方向の長さＸとの関係や収容することが想定される釣竿のサイズ等に合わせて適宜決定することができる。さらに、左側部６の厚さｔ２と右側部７の厚さｔ５は、底部５の左右方向の長さＸとの関係や収容することが想定される釣竿のサイズの幅等に合わせて適宜決定することができる。このようにして、１つの保持部材３により、様々なサイズ（外径）の釣竿を少なくとも２本収容することが可能となる。
【００５０】
図２の例と同様、本発明の一実施形態に係る保持部材３のカバー部８は、釣竿４の当該保持部材３の上方からの離脱を防止するため、当該左側部６から当該右側部７まで延伸するようにして当該左側部６及び当該右側部７に取り付けられる。
【００５１】
本発明の一実施形態に係る保持部材３のカバー部８は、当該左側部６又は当該右側部７の少なくともいずれかに着脱自在に取り付けられる。
【００５２】
本発明の一実施形態に係る釣竿ケースの保持部材３のカバー部８は、当該左側部６又は当該右側部７の少なくともいずれかに着脱部材９Ｃにより着脱自在に取り付けられる。当該着脱部材は、上述の通り、面ファスナーを含む様々部材により適宜選択することができ、特定の部材に限定されるものではない。
【００５３】
本発明の一実施形態に係る保持部材３は、固定部１３によりケース本体２の内側に固定される。当該固定部１３は、上述の着脱部材を設けることで、保持部材３はケース本体２から着脱自在に構成してもよい。当該固定部１３は任意の固定手段を適宜採用することができ、特定の手段に限定されるものではない。
【００５４】
次に、図５は、図４の状態の保持部材３が釣竿４を収容可能な状態とされた様子を示すものである。図示の通り、底部５の上面に左側部６、右側部７が取り付けられている。図示の例では、各構成部材が、接続部１０により接続され、また、当該接続部１１の一部分に固定部１３が配置されている。この状態で底部５の上部の上段、下段にそれぞれ少なくとも１本の釣竿４を収容することができる。左側部６及び右側部７の底部５の上面への取付位置は、収容される釣竿４のサイズに応じて適宜変更可能であることから、本発明の一実施形態に係る保持部材３は、様々なサイズの釣竿を、より柔軟に、かつ複数収容することができる。
【００５５】
釣竿４の収容後は、カバー部８で左側部６から右側部７までを覆うように取り付けることで、釣竿４の保持部材からの離脱を防止することができる。
【００５６】
次に、図６を参照して、本発明のその他の実施形態に係る保持部材３につき説明する。図示の通り、底部５の上面に左側部６、右側部７が取り付けられる点は上述と同様である。ここで、左側部６の厚さｔ３と右側部７の厚さｔ４との間の空間（下段の空間）の左右方向の長さをｌ、左側部６の厚さｔ２と右側部７の厚さｔ５との間の空間（上段の空間）の左右方向の長さをｍとする。
【００５７】
図６（ａ）では、ｌとｍが同じ長さである場合を示し、上段、下段に似たサイズの釣竿４を収容することが想定される場合には、これらの空間を確保するよう、左側部６のｔ３と右側部７のｔ５とを略同じ長さ（かつｔ３とｔ５の和が底部５の左右方向の長さＸと同じ）とし、左側部６のｔ２と右側部７のｔ４とを略同じ長さとなるよう構成することができる。
【００５８】
図６（ｂ）では、ｌよりもｍが大きい場合の例を示している。この場合、下段には、上段よりも大きいサイズの釣竿４を収容することができる。このようにサイズの異なる釣竿４を収容することが想定される場合においては、例えば、右側部７のｔ４を、左側部６のｔ２よりも短く（かつｔ３とｔ５の和が底部５の左右方向の長さＸと同じに）構成することができる。
【００５９】
図６（ｃ）では、ｌとｍが同じ長さであるものの、上段及び下段の空間の高さｊ、ｋが図６（ａ）よりも小さい場合の例を示している。上段、下段に似たサイズの釣竿４を収容することが想定される場合には、これらの空間を確保するよう、左側部６のｔ３と右側部７のｔ５とを略同じ長さ（かつｔ３とｔ５の和が底部５の左右方向の長さＸと同じ）とし、左側部６のｔ２と右側部７のｔ４とを略同じ長さとなるよう構成することができる。図６（ｃ）の例では、さらに、高さｊ、ｋを、例えばｌ、ｍと略同じ長さとすることで、釣竿４の上下方向の空間を当該釣竿４のサイズに合うよう構成することができる。これにより、釣竿４の保護性能をより高めることが可能となる。
【００６０】
図６（ｄ）では、ｌとｍが同じ長さであるものの、ｔ３とｔ５の和がＸよりも大きい場合の例を示している。図６（ａ）の場合に比べて、収容する釣竿のサイズが小さい場合には、左側部６のｔ３と右側部７のｔ５大きく形成することで、左側部６と右側部７とが干渉することなく、上段及び下段の所望の空間を確保することができる。
【００６１】
上述の通り、上記保持部材３の各寸法は、底部５の左右方向の長さＸとの関係や収容することが想定される釣竿のサイズの幅等に合わせて適宜決定することができる。また、左側部６及び右側部７の底部５の上面への取付位置は、適宜変更可能に構成されることから、収容される釣竿４のサイズにより柔軟に対応することができる。その結果、本発明の一実施形態に係る保持部材３は、様々なサイズの釣竿を複数収容するよう構成することができる。
【００６２】
本発明の実施形態は、上述した実施形態に限定されるものではなく、その要旨を逸脱しない範囲で様々な変更が可能である。例えば、釣竿４を収容する空間として１つの場合ないし２つの場合を例に説明したが、これより多くの空間を形成するよう保持部材の各構成部材の形状を変更することが可能である。また、上述の接続部分１１、１２の左右方向長さＡ、Ｂ、底部５の左右方向長さＸ、高さｔ１、左側部６の幅ｔ２、ｔ３、右側部の幅ｔ４、ｔ５は、上述した実施形態に限定されるものではなく、適宜種々変更可能であることはいうまでもない。
【００６３】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００６４】
１  釣竿ケース
２  ケース本体
３  保持部材
４  釣竿
５  底部
６  左側部
７  右側部
８  カバー部
９Ａ、９Ｂ、９Ｃ  着脱部材
１０  接続部
１１  接続部分
１２  接続部分
１３  固定部
２１  ケース把持部
２２  ファスナー
【図１】
2019092412.tif 000003
【図２】
2019092412.tif 000004
【図３】
2019092412.tif 000005
【図４】
2019092412.tif 000006
【図５】
2019092412.tif 000007
【図６】
2019092412.tif 000008